(57)【要約】【課題】切削用チップの位置が安定し且つ術者が安全に施術を行うことができる歯科用ハンドピースを提供する。【解決手段】振動発生源１０を内蔵するハンドピース本体１と、ハンドピース本体１の先端に取付けられ、振動発生源１０からの振動が伝達される切削用チップ２と、ハンドピース本体１に着脱可能に取付けられ、切削用チップ２と絶縁した状態で当該切削用チップ２を覆う筒状のカバー体３と、を備え、カバー体３は、切削用チップ２の基部２１を覆う筒状の第１カバー部３１と、第１カバー部３１に連続形成されて切削用チップ２の端部２２を覆う第２カバー部３２とを有する。【選択図】図２
2019076593.tif 000002
【特許請求の範囲】
【請求項１】
振動発生源を内蔵するハンドピース本体と、
前記ハンドピース本体の先端に取付けられ、前記振動発生源からの振動が伝達される切削用チップと、
前記ハンドピース本体に着脱可能に取付けられ、前記振動発生源の振動が伝達されない状態で当該切削用チップを覆う筒状のカバー体と、を備え、
前記カバー体は、前記切削用チップの基部を覆う第１カバー部と、前記第１カバー部に連続形成されて前記切削用チップの端部を覆う第２カバー部とを有する歯科用ハンドピース。
【請求項２】
前記カバー体は、前記第２カバー部が前記切削用チップのうち少なくとも前記ハンドピース本体から最も遠い側方部位を覆うよう形成されている請求項１に記載の歯科用ハンドピース。
【請求項３】
前記カバー体は、前記第２カバー部に術者の指が載置可能な指載置部を備える請求項１又は２に記載の歯科用ハンドピース。
【請求項４】
前記カバー体は、前記第２カバー部の開口端に前記切削用チップの端部が進入可能な切欠き部を備える請求項１から３の何れか一項に記載の歯科用ハンドピース。
【請求項５】
前記カバー体において、前記第２カバー部は、前記切削用チップの先端側とは反対の側が前記第１カバー部に対して隆起して形成されている請求項１から４の何れか一項に記載の歯科用ハンドピース。
【発明の詳細な説明】
【技術分野】
【０００１】
本発明は、振動式の歯科用ハンドピースに関する。
【背景技術】
【０００２】
歯科診療において、歯牙を切削または穿孔、歯石除去、歯面研磨等、歯面（歯間含
む）清掃等を行うために、ハンドピースが広く使用されている。ハンドピースには、例えば特許文献１に示されるように、エアタービンまたはエアモータを備えた回転式ハンドピースと、振動発生源を備えた振動式ハンドピースとが存在する。回転式ハンドピースは、切削力が高い反面、回転に伴い、患者の歯面や歯肉に与える負荷も大きく、患者に疼痛を与えることが多い。一方、振動式ハンドピース（例えば特許文献１）は、回転式ハンドピースに比べて歯面形成時において歯茎等患部に対する非侵襲性に優れる。
【先行技術文献】
【特許文献】
【０００３】
【特許文献１】特開２００４−３５１０８６号公報
【発明の概要】
【発明が解決しようとする課題】
【０００４】
しかしながら、振動式ハンドピースは、回転式ハンドピースに比べて切削力が劣る。また、施術時に振動式ハンドピースの切削チップが振動するため、チップの先端を施術箇所に安定して保持することが難しい。そのため、振動式ハンドピースによる施術中において、切削力の不足を解消して患部への摩擦力を増大させると共に施術箇所に安定して保持することを目的として、術者が切削チップ周辺を直接指で押さえて切削を行うことがある。ただし、振動式ハンドピースでは切削用チップが釣針形状等であり、術者が指で押さえ付ける部分は狭小である。このため、切削用チップを十分に押さえ付けることができず、振動式ハンドピースの切削力を高めることができない。また、振動式ハンドピースでは、切削用チップの端部全体が振動するため、当該部位に指が触れることで切削用チップの振動に影響が及ぼされる虞がある。すなわち、術者が指で振動する端部を直接押さえることで術者の指に振動が伝わって術者が不快に感じると共に、術者の指が振動を吸収して切削力が低下する虞もある。
【０００５】
上記実情に鑑み、切削用チップの切削力を安定且つ安全に高めることができる歯科用ハンドピースが求められている。
【課題を解決するための手段】
【０００６】
本発明に係る歯科用ハンドピースの特徴構成は、振動発生源を内蔵するハンドピース本体と、前記ハンドピース本体の先端に取付けられ、前記振動発生源からの振動が伝達される切削用チップと、前記ハンドピース本体に着脱可能に取付けられ、前記振動発生源の振動が伝達されない状態で当該切削用チップを覆う筒状のカバー体と、を備え、前記カバー体は、前記切削用チップの基部を覆う第１カバー部と、前記第１カバー部に連続形成されて前記切削用チップの端部を覆う第２カバー部とを有する点にある。
【０００７】
本構成によれば、歯科用ハンドピースにおいて、切削用チップを覆うカバー体が備えられている。これにより、術者はカバー体に指を接触させた状態で歯科用ハンドピースを操作することができるので、切削用チップの切削力を容易に高めることができる。また、切削用チップを覆うカバー体は振動発生源の振動が伝達されない状態でハンドピース本体に取付けられるため、術者の指がカバー体に接触しても、術者の指に振動発生源の振動は伝達されない。したがって、術者は切削用チップの振動の影響を受けることなく快適に歯科用ハンドピースを操作することができる。
さらに、カバー体はハンドピース本体に着脱可能に取付けられるので、必要に応じて行われる切削用チップの交換作業を容易に行うことができる。
なお、カバー体において切削チップの基部を覆う第１カバー部は、切削チップの基部全体を全周に亘って覆う筒状に特定されない。例えば、第１カバー部は、切削チップの基部全体の全周のうち一部が露出するように開口部分が形成されていてもよい。また、開口部分は第２カバー部から第１カバー部に亘って形成されていてもよい。
【０００８】
他の特徴構成は、前記カバー体は、前記第２カバー部が前記切削用チップのうち少なくとも前記ハンドピース本体から最も遠い側方部位を覆うよう形成されている点にある。
【０００９】
本構成によれば、カバー体は、第２カバー部が切削用チップのうち少なくともハンドピース本体から最も遠い側方部位を覆う。当該部位は、切削用チップを挟んでハンドピース本体に対向する位置である。このため、術者が当該部位に指を接触し、ハンドピース本体の持ち手と協働させることで、切削用チップの位置を安定的に保持することができる。
【００１０】
他の特徴構成は、前記カバー体は、前記第２カバー部に術者の指が載置可能な指載置部を備える点にある。
【００１１】
本構成によれば、切削用チップの端部を覆う第２カバー部に術者の指が載置可能な指載置部を備えるので、術者は第２カバー部をより安定的に保持することができる。これにより、術者が指によって第２カバー部を押さえ付け易くなるため、切削用チップの切削力を向上させ易くなる。
【００１２】
他の特徴構成は、前記カバー体は、前記第２カバー部の開口端に前記切削用チップの端部が進入可能な切欠き部を備える点にある。
【００１３】
カバー体がハンドピース本体から着脱可能に構成されていても、切削用チップがハンドピース本体に取付けられたままカバー体のみをハンドピース本体から取り外す際に、カバー体に切削用チップが当接することで取外し作業が行い難い場合がある。特に、第２カバー部は切削用チップの端部を覆うため、ハンドピース本体からカバー体を取り外す際に第２カバー部が切削用チップと当接する可能性がある。そこで、本構成では、カバー体は、第２カバー部の開口端に切削用チップの端部が進入可能な切欠き部を備える。これにより、ハンドピース本体からカバー体を取り外す際、又はカバー体をハンドピース本体に取り付ける際に、第２カバー部の切欠き部によって切削用チップの端部との接触が回避することができる。その結果、ハンドピース本体に対するカバー体の着脱が容易となる。
【００１４】
他の特徴構成は、前記カバー体において、前記第２カバー部は、前記切削用チップの先端側とは反対の側が前記第１カバー部に対して隆起して形成されている点にある。
【００１５】
本構成によれば、カバー体の第２カバー部は、切削用チップの先端側とは反対の側が第１カバー部に対して隆起して形成されているので、第２カバー部と切削用チップとの間にクリアランスを形成し易くなる。これにより、第２カバー部において切削用チップの端部の収容が容易になる。
【図面の簡単な説明】
【００１６】
【図１】第１実施形態の歯科用ハンドピースの把持状態を表す斜視図である。
【図２】歯科用ハンドピースの側断面図である。
【図３】ハンドピース本体からカバー体を離脱させる動作を示す側断面図である。
【図４】カバー体の斜視図である。
【図５】歯科用ハンドピースの分解斜視図である。
【図６】歯科用ハンドピースの使用状態を示す図である。
【図７】歯科用ハンドピースの使用状態を示す図である。
【図８】第２実施形態の歯科用ハンドピースの側断面図である。
【図９】別形態のカバー体を示す斜視図である。
【図１０】別形態のカバー体を示す斜視図である。
【図１１】別形態のカバー体を示す斜視図である。
【図１２】別形態の歯科用ハンドピースを示す側断面図である。
【図１３】別形態の歯科用ハンドピースを示す側断面図である。
【図１４】別形態の歯科用ハンドピースの要部断面図である。
【図１５】別形態のカバー体を示す斜視図である。
【図１６】ハンドピース本体の変形例を示す斜視図である。
【図１７】図１６に示すハンドピース本体の要部断面図である。
【図１８】ハンドピース本体の変形例を示す斜視図である。
【図１９】図１８に示すハンドピース本体の要部断面図である。
【発明を実施するための形態】
【００１７】
以下に本発明の実施形態を図面に基づいて説明する。
【００１８】
図１〜図５に示すように、歯科用ハンドピース１００は、ハンドピース本体１と、切削用チップ２と、切削用チップ２を覆うカバー体３と、を備える。ハンドピース本体１は術者が把持するためのグリップ部を含む。ハンドピース本体１には切削用チップ２を振動させるためのエア若しくは超音波を発生させる振動発生源１０が内蔵されている。ハンドピース本体１の基端部には、振動発生源１０にエアを供給するための管路或いは電気ケーブル、さらには必要によって注水用管路（いずれも不図示）を束ねて収容したフレキシブルホース等が接続されている。振動発生源１０に振動伝達部１１が接続される。振動伝達部１１の端部には切削用チップ２との接続用の雄ねじ部１２が設けられている。
【００１９】
切削用チップ２は、チップベース２１（基部の一例）と、チップ本体２２（端部の一例）とを備えている。ハンドピース本体１の先端には、チップベース２１が取付けられている。チップベース２１は、基端側の雌ねじ部２３と先端側の固定部２４とを含み、雌ねじ部２３がハンドピース本体１の先端の雄ねじ部１２に螺着固定される。チップ本体２２は、固定部２４に着脱可能に取付けられている。チップベース２１は、チップベース２１自体を洗浄する場合、損傷により取り替える場合、その他メンテナンス上必要とする場合等において、雌ねじ部２３を緩めることによりハンドピース本体１から分離することができる。
【００２０】
図１に示すように、ハンドピース本体１に切削用チップ２を取付けた状態で、振動発生源１０を起動させると、振動発生源１０で発生した振動はチップベース２１を経てチップ本体２２に伝達される。その後、チップ本体２２の作用面を切削対象の歯面に接触させることで、作用面の接触と振動作用により歯面の切削が行われる。
【００２１】
カバー体３は、ハンドピース本体１に着脱可能に取付けられ、振動発生源１０の振動が伝達されない状態で切削用チップ２を覆う。図２及び図３に示すように、ハンドピース本体１の端部には係合爪部１ａが設けられ、カバー体３の第１カバー部３１の内面には係合爪部１ａに係合可能な係合凹部３１ａが設けられている。係合凹部３１ａに対して係合爪部１ａを係合離脱させることで、ハンドピース本体１に対してカバー体３を着脱することができる。図３に示すように、係合凹部３１ａに対する係合爪部１ａの係合離脱は、指等によって係合爪部１ａを操作することで行われる。ハンドピース本体１に対してカバー体３を着脱可能にする構成は、係合爪部１ａ及び係合凹部３１ａに限定されず、他の構成であってもよい。
【００２２】
カバー体３は、振動発生源１０、振動伝達部１１、及び、切削用チップ２から離間した状態で、ハンドピース本体１に取付けられる。カバー体３は、第１カバー部３１と第２カバー部３２とを有する。第１カバー部３１は、チップベース２１のうち固定部２４とチップ本体２２を除く部位を覆っており、第２カバー部３２は第１カバー部３１に連続形成されてチップベース２１の固定部２４及びチップ本体２２を覆っている。すなわち、第１カバー部３１が切削用チップ２の基部を覆い、第２カバー部３２が切削用チップ２の端部を覆う。第２カバー部３２は、切削用チップ２のうち少なくともハンドピース本体１から最も遠い側方部位を覆うよう前側カバー部３７が形成されている。
【００２３】
これにより、術者はカバー体３の第２カバー部３２に指を接触させた状態で歯科用ハンドピース１００を操作することができるので、切削用チップ２の切削力を容易に高めることができると共に施術箇所に切削チップの先端を安定して保持することができる。また、切削用チップ２を覆うカバー体３は振動発生源１０の振動が伝達されない状態でハンドピース本体１に取付けられているため、術者の指がカバー体３に接触しても、術者の指に振動発生源１０の振動は伝達されず、切削力が低下することもない。したがって、術者は切削用チップ２の振動の影響を受けることなく快適に歯科用ハンドピース１００を操作することができる。
【００２４】
図４及び図５に示すように、第２カバー部３２は、上面部３３と前側カバー部３７を含む側面部３４とを有し、側面部３４が円筒状に形成されている。第２カバー部３２には、上面部３３と側面部３４との間に上面部３３に向けて先細りの傾斜部３５が形成されている。第２カバー部３２において、側面部３４の前側カバー部３７に縦方向の第１切欠き部３４ａが形成され、開口端３６に開口部３６ａが形成され、第２カバー部３２の下部３８にハンドピース本体１に向かう第２切欠き部３８ａが形成されている（図２参照）。図２及び図４に示すように、第１切欠き部３４ａ及び第２切欠き部３８ａは、チップ本体２２が挿通する開口部３６ａを介して繋がっている。また、第１切欠き部３４ａ、開口部３６ａ、及び、第２切欠き部３８ａは、同じ幅で連続しておりチップ本体２２の最大径部分が進入可能な幅を有する１つの長穴によって形成されている。このように、長穴（第１切欠き部３４ａ、開口部３６ａ、及び、第２切欠き部３８ａ）は切削用チップ２の端部であるチップ本体２２が進入可能な形状に形成されている。これにより、ハンドピース本体１からカバー体３を取り外す際、又はカバー体３をハンドピース本体１に取り付ける際に、第２カバー部３２の長穴（第１切欠き部３４ａ、開口部３６ａ、及び、第２切欠き部３８ａ）によってチップ本体２２とカバー体３との接触を回避することができる。その結果、ハンドピース本体１に対するカバー体３の着脱が容易となる。
【００２５】
第２カバー部３２において、上面部３３、側面部３４、及び傾斜部３５は、術者の指が載置可能に形成されている。すなわち、上面部３３、側面部３４、及び傾斜部３５は、指載置部４０として用いることができる（図５参照）。第２カバー部３２に術者の指が載置可能な指載置部４０を備えることで、術者は第２カバー部３２をより安定的に保持することができる。これにより、術者が指によって第２カバー部３２を押さえ付け易くなるため、切削用チップ２の切削力を向上させ易くなると共に施術箇所に正確に切削チップの先端を位置させ続けることができる。
【００２６】
また、カバー体３において、第２カバー部３２は、上面部３３、側面部３４、及び傾斜部３５によって、切削用チップ２の先端側とは反対の側が第１カバー部３１に対して隆起して形成されている。このため、第２カバー部３２と切削用チップ２との間にクリアランスを形成し易くなる。これにより、第２カバー部３２において切削用チップ２の端部であるチップ本体２２及び固定部２４の収容が容易になると共に、切削用チップ２の振動が第２カバー部３２に伝達されない。
【００２７】
図６及び図７は、第２カバー部３２に術者の指が載置された状態の例を示す。図６では、術者の指の先端部が指載置部に相当する傾斜部３５に載置されている。図７では、術者の指の腹が指載置部に相当する側面部３４に載置されている。
【００２８】
〔切削用チップの変形例〕
図８は、ハンドピース本体１に釣針形状の切削用チップ２６が直接取付けられている状態を表している。切削用チップ２は、基部に雌ねじ部２７を備える。カバー体３は、上記の第１実施形態と同形状である。このように、異なる形状の切削用チップ２、２６に対し同形状のカバー体３を用いることができ、歯科用ハンドピース１００の部品点数を少なくすることができる。
【００２９】
〔指載置部の変形例〕
図９に示すように、指載置部４０は、第２カバー部３２を角柱状に形成し、その側面部３４によって構成してもよい。この場合は、指載置部４０を２つの指によって挟み付けて保持することが容易になる。図１０に示すように、指載置部４０は第２カバー部３２の上面部３３と側面部３４とが交差する箇所に凹部３９を設けて構成してもよい。凹部３９は指との接触面積が広く確保されるよう指表面の形に合った曲面状の窪みに形成されると好適である。このような凹部３９に術者の指が載置されることで、チップ本体２２の作用部位をより安定的に位置保持することができる。
【００３０】
〔別実施形態〕
（１）上記の実施形態では、異なる形状の切削用チップ２、２６に対し同形状のカバー体３を用いる例を示したが、歯科用ハンドピース１００は、異なる形状の切削用チップ２６に対して異なる形状のカバー体３を用いる構成であってもよい。
【００３１】
（２）上記の実施形態では、カバー体３において、第２カバー部３２は切削用チップ２の先端側とは反対の側が隆起して形成されている例を示したが、図１１に示すように、カバー体３は、第１カバー部３１の上部と第２カバー部３２の上部とが面一で形成されていてもよい。
【００３２】
（３）上記の実施形態では、第２カバー部３２が、開口端３６において開口部３６ａを挟んで前側カバー部３７に第１切欠き部３４ａを有するともに下部３８に第２切欠き部３８ａを有する例を示したが、第１切欠き部３４ａ及び第２切欠き部３８ａのうちいずれか一方のみを設ける構成でもよい。また、第２カバー部３２の開口部３６ａが切削用チップ２の端部に接触しない形状であれば、切欠き部３４ａ，３８ａを有さずに開口部３６ａのみで第２カバー部３２を構成してもよい。
【００３３】
（４）上記の実施形態では、ハンドピース本体１が長手方向の中間に緩やかな角度を有する形状の例を示したが、図１２に示すように、ストレート形状のハンドピース本体１であってもよい。この場合は、ハンドピース本体１の軸芯方向に対して切削用チップ２とカバー体３とが斜め上方に向くように取付けられる。
【００３４】
（５）上記の実施形態では、カバー体３の第１カバー部３１が、切削用チップ２のチップベース２１の全体をほぼ全周に亘って覆う例を示したが、第１カバー部３１の形状は特に限定されない。図１３に示すように、第１カバー部３１は、例えば、下部３８の一部が切除されて開口部分３８ｂが形成されていてもよい。本実施形態において、開口部分３８ｂは、第１切欠き部３４ａ、開口部３６ａ及び第２切欠き部３８ａの短手方向の幅よりも大きく切り欠かれている。これにより、切削用チップ２のチップベース２１の下方側は大部分が開口部分３８ｂにより露出している。図１３に示すカバー体３では、第２カバー部３２の前側から第１カバー部３１に亘って開口部分３８ｂが形成されている。開口部分３８ｂは、図４及び図７に示される開口部３６ａ及び第２切欠き部３８ａと同じ短手方向幅の長穴状に形成されていてもよい。
【００３５】
（６）図１４に示すように、第２カバー部３２と切削用チップ２の固定部２４との間に弾性体５０を設けてもよい。弾性体５０はゴムやスプリング等によって構成される。弾性体５０が介在されることで、切削用チップ２の振動が第２カバー部３２に伝達されるのを抑制しつつ、術者の指によりチップ本体２２を患部に容易に押し付けることができる。これにより、切削用チップ２の切削力を高めることができる。
【００３６】
（７）図１５に示すように、カバー体３は長手方向の左右両側に分割可能な２つのカバー体３ａ，３ｂによって構成してもよい。カバー体３を分割可能に構成することで、カバー体３には、切削用チップ２の端部が進入可能な切欠き部は不要になる。
【００３７】
（８）図１６〜図１９は、ハンドピース本体１の別形態を示す。図１６及び図１７に示されるハンドピース本体１は、断面が逆三角形状に形成され、ハンドピース本体１の上面に親指と人差し指とで挟持可能な突起部１３を有する。図１８及び図１９に示されるハンドピース本体１は、上面に術者の人差し指を載置可能な凹み部１４を有する。このように、ハンドピース本体１を構成することで、ハンドピース本体１の把持力を高めることができる。その結果、歯科用ハンドピース１００の操作性が向上する。
【産業上の利用可能性】
【００３８】
本発明は、各種形状の切削用チップを有する歯科用ハンドピースに広く利用することができる。
【符号の説明】
【００３９】
１      ：ハンドピース本体
２，２６  ：切削用チップ
３      ：カバー体
１０    ：振動発生源
１１    ：振動伝達部
２１    ：チップベース
２２    ：チップ本体
３１    ：第１カバー部
３２    ：第２カバー部
３３    ：上面部（指載置部）
３４    ：側面部（指載置部）
３４ａ，３８ａ  ：切欠き部
３５    ：傾斜部（指載置部）
３６    ：開口端
３７    ：前側カバー部
３９    ：凹部（指載置部）
４０    ：指載置部
５０    ：弾性体
１００  ：歯科用ハンドピース
【図１】
2019076593.tif 000003
【図２】
2019076593.tif 000004
【図３】
2019076593.tif 000005
【図４】
2019076593.tif 000006
【図５】
2019076593.tif 000007
【図６】
2019076593.tif 000008
【図７】
2019076593.tif 000009
【図８】
2019076593.tif 000010
【図９】
2019076593.tif 000011
【図１０】
2019076593.tif 000012
【図１１】
2019076593.tif 000013
【図１２】
2019076593.tif 000014
【図１３】
2019076593.tif 000015
【図１４】
2019076593.tif 000016
【図１５】
2019076593.tif 000017
【図１６】
2019076593.tif 000018
【図１７】
2019076593.tif 000019
【図１８】
2019076593.tif 000020
【図１９】
2019076593.tif 000021